(57)【要約】  パッチボードが図示され説明されており、このパッチボードは、少なくとも４つのボードエレメント（２）と少なくとも１つの固定部材とを有しており、個々のボードエレメント（２）は、各ボードエレメント（２）がｘ方向およびｙ方向で、少なくとも１つの別のボードエレメント（２）に接続されており、個々のボードエレメント（２）は２つの端面（４ａ，４ｂ）と、これら端面（４ａ，４ｂ）の間に延在する４つの側面（５ａ，５ｂ，５ｃ，５ｄ）とを有したそれぞれ１つの箱形のハウジング（３）を有していて、ボードエレメント（２）の両端面（４ａ，４ｂ）はそれぞれ少なくとも１つの接続領域（６）を有しており、ボードエレメント（２）の側面（５ａ，５ｂ，５ｃ，５ｄ）はそれぞれ、別のボードエレメント（２）に接続するために少なくとも１つの接続エレメント（７，８）を有しており、互いに対向する側面（５ａ，５ｃ；５ｂ，５ｄ）に形成された接続エレメント（７，８）は互いに対応するように形成されていて、配置されており、接続エレメント（７，８）はそれぞれ、各側面（５ａ，５ｂ，５ｃ，５ｄ）の長手方向に対して平行に延びている。本発明によるパッチボード（１）では、固定部材が、４つのボードエレメント（２）の間の真ん中に配置されていて、歯車状の横断面を有するピン（９）として形成されており、ピンは、ピン（９）の長手方向軸線の方向で延在するウェブ状の４つの歯（１０）を有しており、個々のボードエレメント（２）の４つの長手方向縁（１２ａ，１２ｂ，１２ｃ，１２ｄ）には、それぞれ１つの溝（１３ａ，１３ｂ，１３ｃ，１３ｄ）が形成されていて、溝は、第１の区分（１４）と、長手方向縁（１２ａ，１２ｂ，１２ｃ，１２ｄ）の長手方向で第１の区分に続いている少なくとも１つの第２の区分（１５）とを有していて、第２の区分は、少なくともピン（９）と同じ長さであり、第１の区分（１４）における個々の溝（１３ａ，１３ｂ，１３ｃ，１３ｄ）の横断面はそれぞれ、ピン（９）の横断面の１／４のセグメントに相当し、第２の区分（１５）における個々の溝（１３ａ，１３ｂ，１３ｃ，１３ｄ）の横断面は、ピン（９）が個々の溝（１３ａ，１３ｂ，１３ｃ，１３ｄ）の第２の区分（１５）に配置されたときに、ピン（９）が長手方向軸線を中心として回転可能であるような大きさであることにより、個々のボードエレメントをパッチボードから僅かな手間で取り外すことができる。
2019514171.tif 000002
【特許請求の範囲】
【請求項１】
パッチボード（１）であって、前記パッチボードは、複数のボードエレメント（２）と少なくとも１つの固定部材とを有しており、個々のボードエレメント（２）は、各ボードエレメント（２）がｘ方向およびｙ方向で、少なくとも１つの別のボードエレメント（２）に接続されているように、互いに配置されており、
個々のボードエレメント（２）は、２つの端面（４ａ，４ｂ）と、前記端面（４ａ，４ｂ）の間に延在している４つの側面（５ａ，５ｂ，５ｃ，５ｄ）とを備えたそれぞれ１つの箱形のハウジング（３）を有していて、
前記ボードエレメント（２）の前記両端面（４ａ，４ｂ）はそれぞれ少なくとも１つの接続領域（６）を有しており、
前記ボードエレメント（２）の前記側面（５ａ，５ｂ，５ｃ，５ｄ）はそれぞれ、別のボードエレメント（２）に接続するために少なくとも１つの接続エレメント（７，８）を有しており、互いに対向する前記側面（５ａ，５ｂ，５ｃ，５ｄ）に形成された前記接続エレメント（７，８）は互いに対応するように形成されていて、配置されており、前記接続エレメント（７，８）はそれぞれ、前記各側面（５ａ，５ｂ，５ｃ，５ｄ）の長手方向に対して平行に延びている、パッチボード（１）において、
前記固定部材は、４つのボードエレメント（２）の間の真ん中に配置されていて、歯車状の横断面を有するピン（９）として形成されており、前記ピンは、前記ピン（９）の長手方向軸線の方向に延在するウェブ状の４つの歯（１０）を有しており、
前記個々のボードエレメント（２）の４つの長手方向縁（１２ａ，１２ｂ，１２ｃ，１２ｄ）には、それぞれ１つの溝（１３ａ，１３ｂ，１３ｃ，１３ｄ）が形成されていて、前記溝は、第１の区分（１４）と、前記長手方向縁（１２ａ，１２ｂ，１２ｃ，１２ｄ）の長手方向で前記第１の区分に続いている少なくとも１つの第２の区分（１５）とを有していて、前記第２の区分は、少なくとも前記ピン（９）と同じ長さであり、
前記第１の区分（１４）における前記個々の溝（１３ａ，１３ｂ，１３ｃ，１３ｄ）の横断面はそれぞれ、前記ピン（９）の横断面の１／４のセグメントに相当し、前記第２の区分（１５）における前記個々の溝（１３ａ，１３ｂ，１３ｃ，１３ｄ）の横断面は、前記ピン（９）が前記溝（１３ａ，１３ｂ，１３ｃ，１３ｄ）の前記第２の区分（１５）に配置されたときに、前記ピン（９）が長手方向軸線を中心として回転可能であるような大きさであることを特徴とする、パッチボード（１）。
【請求項２】
前記個々の溝（１３ａ，１３ｂ，１３ｃ，１３ｄ）は、前記長手方向縁（１２ａ，１２ｂ，１２ｃ，１２ｄ）の長手方向で前記第２の区分（１５）に接続する第３の区分（１６）を有しており、前記第３の区分（１６）における前記個々の溝（１３ａ，１３ｂ，１３ｃ，１３ｄ）の横断面はそれぞれ、前記ピン（９）の横断面の１／４のセグメントに相当する、請求項１記載のパッチボード（１）。
【請求項３】
前記個々の溝（１３ａ，１３ｂ，１３ｃ，１３ｄ）の前記第３の区分（１６）の横断面は、前記個々の溝（１３ａ，１３ｂ，１３ｃ，１３ｄ）の前記第１の区分（１４）の横断面に対して、好適には４５°、回転されて配置されている、請求項１または２記載のパッチボード（１）。
【請求項４】
前記ピン（９）の前記歯（１０）の横断面は、鳩尾形に形成されている、請求項１から３までのいずれか１項記載のパッチボード（１）。
【請求項５】
前記ボードエレメント（２）の各側面（５ａ，５ｂ，５ｃ，５ｄ）に、それぞれ少なくとも１つの溝（７）と、前記溝（７）に対応する少なくとも１つのウェブ（８）とが形成されており、１つの側面（５ａ，５ｂ，５ｃ，５ｄ）における前記少なくとも１つの溝（７）は、対向する側面（５ｂ，５ａ，５ｄ，５ｃ）における前記ウェブ（８）に対して鏡像対称的に配置されており、１つの側面（５ａ，５ｂ，５ｃ，５ｄ）における前記少なくとも１つのウェブ（８）は、対向する側面（５ｂ，５ａ，５ｄ，５ｃ）における前記溝（７）に対して鏡像対称的に配置されている、請求項１から４までのいずれか１項記載のパッチボード（１）。
【請求項６】
前記ピン（９）の少なくとも１つの歯（１０）は少なくとも１つの端面で係止凹部（１８）または係止突起を有しており、少なくとも１つの溝（１３ａ，１３ｂ，１３ｃ，１３ｄ）の前記第１の区分（１４）の、かつ／または少なくとも１つの溝（１３ａ，１３ｂ，１３ｃ，１３ｄ）の前記第３の区分（１６）の、前記第２の区分（１５）に面した端面には、係止突起（１９）または係止凹部が形成されている、請求項１から５までのいずれか１項記載のパッチボード（１）。
【請求項７】
前記ピン（９）の前記端面には、工具、特にねじ回しの先端のための切欠（２０）が形成されている、請求項１から６までのいずれか１項記載のパッチボード（１）。
【発明の詳細な説明】
【技術分野】
【０００１】
本発明は、パッチボードに関し、このパッチボードは、複数のボードエレメントと少なくとも１つの固定部材とを有しており、個々のボードエレメントは、各ボードエレメントがｘ方向およびｙ方向で、少なくとも１つの別のボードエレメントに接続されているように、互いに配置されており、個々のボードエレメントは、２つの端面と、この端面の間に延在する４つの側面とを備えたそれぞれ１つの箱形のハウジングを有していて、ボードエレメントの両端面はそれぞれ少なくとも１つの接続領域を有している、パッチボードに関する。
【０００２】
導電体を接続するために、通常は、１つの支持レール上に複数が互いに隣接するように配置された、電気的な端子ブロックが数十年来、使用されていて、この際、このように端子ブロックを備えた複数の支持レールはしばしば配電盤キャビネット内に配置される。個々の支持レール間には比較的大きなスペースが使用されずに残っているので、複数の導電体を狭いスペースで接続しなければならないところでは特に、しばしばパッチボードが使用される。このために、長方形の堅固な組み付けフレームの内側で、複数のボードエレメントがフレームの相応の室内に配置されているパッチボードが実際に公知である。パッチボードもしくは個々のボードエレメントには、導電体を、前面であるフィールド側からも、背面である装置側からも接続することができる。このために、個々のボードエレメントの箱形のハウジング内には、通常相応のバスバーを介して互いに接続されている接続エレメントが配置されていて、これにより前端面に設けられた相応の導体導入開口を通して導入された導電体を、ハウジングの後端面に設けられた相応の導入開口を通して導入された導電体または接続コンタクトに電気的に接続することができる。
【０００３】
このような形式の複数のボードエレメントを有したパッチボードは例えば、独国特許出願公開第１９５１２２２６号明細書（DE 195 12 226 A1）により公知である。この明細書に開示されたパッチボードでは、個々のボードエレメントは、組み付けフレームの個々の室に装着されていて、全て同じ寸法を有している。上縁側および下縁側にはそれぞれ１つの取り付けフランジ付加部が堅固にパッチボードに結合されており、この取り付けフランジ付加部を介してパッチボードはねじによって組み付けフレームに取り付けることができる。パッチボードを使用者の個別の要望に適合させることは、この公知のパッチボードでは不可能である。接続すべき導体の数を増やさなければならない場合、より多数の個々のボードエレメントを備えた相応により大きなパッチボードを使用しなければならない。実際には、１８、３２、４８、５４または８０のボードエレメントを有したパッチボードが入手可能である。
【０００４】
独国特許出願公開第１０２０１４１０１５２８号明細書（DE 10 2014 101 528 A1）により、フレキシブル性が高く、パッチボードを個別の要望に適応させることができる点で優れているパッチボードが公知である。これは、ボードエレメント個々の側面がそれぞれ、別のボードエレメントに接続するための少なくとも１つの係止エレメントを備えていることにより達成される。この場合、互いに対向する側面に形成された係止エレメントは、互いに対応するように形成されていて配置されているので、ボードエレメントを互いに直接、接続することができる。これにより、複数の個別のボードエレメントを固定する剛性的な組み付けフレームの使用を省くことができるので、パッチボードは基本的には任意の数のボードエレメントを含むことができる。
【０００５】
独国特許出願公開第１０２０１４１０１５２８号明細書（DE 10 2014 101 528 A1）により公知のボードエレメントは、個々の側面に係止ピンを有しており、この係止ピンを、隣接するボードエレメントの対向する側面における対応する係止穴に差し込むことができる。さらに、パッチボードはそれぞれ１つの側面に２つの係止フックを有していて、これらの係止フックを、対向する側面に形成されている細長い係止穴に係止することができる。係止ピンおよび係止フックはこの場合、各側面の長手方向に対して垂直に延在しているので、パッチボードは、行ごとに、または段ごとに構成されなければならない。個々のボードエレメントを接続した後は、このために、最小スペースで信号の分配を可能とする極めて安定的なパッチボードが提供される。
【０００６】
同様に、組み付けフレームの使用を省くことができるパッチボードは、ドイツ語に翻訳された欧州特許公報第３５８７７９６号明細書（DE 35 87 796 T2）によっても公知である。本発明の起点となったこのようなパッチボードでは、個々のボードエレメントの側面にそれぞれ複数のウェブが形成されていて、これに対して、ボードエレメントの対向する側面に対応する溝が設けられている。この場合、ウェブと溝とはそれぞれ、各側面の長手方向に対して平行に、すなわち一方の端面から他方の端面への延在方向で、延びている。したがって、互いに隣接して配置された２つのボードエレメントを、一方のボードエレメントの側面にあるウェブを、他方のボードエレメントの対向する側面にある対応する溝内に差し込むことにより、簡単に互いに接続させることができる。この場合、溝に形成された突起により、２つのボードエレメントは接続後に側面の長手方向で互いに相対的に摺動できないようになる。
【０００７】
このように接続された２つのボードエレメントを互いに確実に接続させるために、公知のパッチボードでは、ロック楔の形態の別個の固定部材が設けられており、この固定部材が、接続された２つのボードエレメントの間に形成されている凹部内にスライドされるようになっている。この凹部を形成するために、ボードエレメントはその側面に、鳩尾形に形成されたそれぞれ互いに対向する切欠を有している。ロック楔は、これに対応する鳩尾形横断面を２つの面に有している。さらに、ロック楔の端面に係止フックが形成されていて、この係止フックは、ロック楔が２つのボードエレメントの間の凹部内に完全にスライドして入ったとき、凹部内でロック楔を係止するために働く。
【０００８】
したがって、従来技術により公知のパッチボードでは、個々のボードエレメントに形成された係止エレメントが、場合によっては別個の固定部材と共に、個々のボードエレメントの相互の確実かつ安定的な接続のために働き、これにより相応の組み付けフレームを必要とせずに安定的なパッチボードが生じる。しかしながら、個々のボードエレメントの実現された相互係止により、パッチボードの解体は、全く不可能であるか、または大きな手間をかけてしか行うことができない、という欠点がある。この場合、パッチボードの縁部に直接位置していないボードエレメントの取り外しや、パッチボード内部への新たなボードエレメントの挿入は殆ど不可能であるので、故障した個々のボードエレメントの交換は、不可能であるか、大きな手間をかけてしか行うことができない。
【０００９】
したがって本発明の課題は、組み付けられた状態であっても、個々のボードエレメントを僅かな手間でパッチボードから取り外すことができる、複数のボードエレメントを備えたパッチボードを提供することである。この場合、パッチボードは全体として高い安定性を有していなければならない。
【００１０】
この課題は、請求項１の特徴を有するパッチボードにおいて、このパッチボードが、４つのボードエレメントの間の真ん中に配置されている、少なくとも１つの固定部材を有していて、この固定部材は、歯車状の横断面を有するピンとして形成されており、このピンは、ピンの長手方向軸線の方向で延在するウェブ状の４つの歯を有していることにより解決される。
【００１１】
ドイツ語に翻訳された欧州特許公報第３５８７７９６号明細書（DE 35 87 796 T2）により公知の、互いに隣り合って、または互いに重なり合って配置された２つのボードエレメントを接続するために用いられる楔形の固定部材とは異なり、本発明によるパッチボードでは、ピンが固定部材として、全部で４つのボードエレメントを互いに接続するために機能するように構成されていて、配置されている。このためにピンは、４つのボードエレメントの間の真ん中に配置されているので、本発明によるパッチボードでは、ピンに対応する凹部は、個々のボードエレメントの側面にではなく、長手方向縁に形成されている。
【００１２】
この場合、本発明によれば、個々のボードエレメントの４つの長手方向縁に、それぞれ１つの溝が形成されていて、この溝は、第１の区分と、長手方向縁の長手方向で第１の区分に続いている第２の区分とを有しており、この第２の区分の長さは、少なくともピンの長さに相当する。さらに、第１の区分における個々の溝の横断面はそれぞれ、ピンの横断面の１／４のセグメントに相当し、第２の区分における個々の溝の横断面は、ピンが４つのボードエレメントの各溝の第２の区分に配置されたときに、ピンが長手方向軸線を中心として回転可能であるような大きさである。
【００１３】
したがって、本発明によるパッチボードでは、固定部材としてのピンが挿入される開口は、開口の周りに配置された４つのボードエレメントの、互いに向かい合う長手方向縁の間に形成されている。この場合、長手方向縁における溝の形状は、第１の区分では、個々の溝の横断面がそれぞれ、ピンの横断面の１／４のセグメントに相当するように形成されているので、４つの溝の横断面がまとまると、歯車状のピンの横断面に相当する。したがってピンを、４つのボードエレメントの間にこのように形成された開口内に簡単に挿入することができる。
【００１４】
第１の区分における長手方向縁の各溝は、歯車状のピンの横断面の１／４のセグメントに相当する横断面を有しているので、溝の形状は、その長手方向縁にウェブが形成されていて、このウェブが、ピンが溝の第１の区分に配置されているときに、ピンの互いに隣り合っている２つの歯の間の空間に係合することにより、四分円とは異なっている。
【００１５】
本発明によるパッチボードでは、互いに隣接して配置されたボードエレメントの接続はまずは、ボードエレメントの側面に形成された接続エレメントを介して行われる。このように互いに接続されたボードエレメントのさらなる固定は、歯車状のピンを介して行われ、この場合、歯車状のピンは溝の第２の区分に配置され、そこで、長手方向軸線を中心として回転されて、ピンはこの向きで、溝の第１の区分を通ってもはや摺動することができなくなるようにされている。ピンの歯の向きは、４つのボードエレメントの間の真ん中に形成された歯車状の開口にもはや一致しないので、ボードエレメントはもはや、ピンがボードエレメントの間に挿入された方向では摺動することができない。
【００１６】
接続エレメントを介して互いに接続されたボードエレメントの摺動を、ピンの差込方向においてだけではなく、ピンの差込方向とは逆方向においてでも阻止するために、ドイツ語に翻訳された欧州特許公報第３５８７７９６号明細書（DE 35 87 796 T2）により公知のボードエレメントのウェブおよび溝においても基本的には設けられているように、相応のストッパまたは縁部を個々の係止エレメントに形成することができる。しかしながら好適には、このような形式のストッパまたは縁部の構成は省かれるので、個々のボードエレメントの組立は、１つの方向のみで可能なわけではない。各側面の長手方向に対して平行な方向でのボードエレメントの互いの摺動も阻止するために、個々のボードエレメントの長手方向縁における溝は、長手方向縁の長手方向において第２の区分に続いているそれぞれ１つの第３の区分を有しており、この第３の区分における個々の溝の横断面も、第１の区分における溝の横断面と同様に、ピンの横断面の１／４のセグメントに相当する。第２の区分に配置され、長手方向軸線を中心として相応に回転されたピンにより、ピンの長手方向軸線の方向で、ボードエレメントが互いに相対的に摺動する可能性が阻止される。
【００１７】
パッチボードの特に好適な構成によれば、ピンの歯は横断面が鳩尾形に形成されている。鳩尾形のキーと鳩尾形の溝とによって形成される機械的接続は、簡単に取り付け取り外しが可能であるにもかかわらず、比較的大きな力を吸収することができるという利点を有している。したがって、鳩尾形の横断面を有したピンの歯の形成により、ピンを介して、側面もしくはピンの長手方向での、個々のボードエレメントの摺動を阻止するだけではなく、さらには、側面の長手方向に対して垂直な方向、すなわちｘ方向およびｙ方向でもボードエレメントの付加的な互いの位置固定が行われる。
【００１８】
本発明の特に好適な別の構成によれば、ボードエレメントの各側面に、それぞれ少なくとも１つの溝と、この溝に対応する少なくとも１つのウェブとが接続エレメントとして形成されており、ウェブと溝とは好適にはそれぞれ鳩尾形の横断面を有している。この場合、１つのボードエレメントの１つの側面における少なくとも１つの溝は、ボードエレメントの対向する側面におけるウェブに対して鏡像対称的に配置されているので、２つのボードエレメントが互いに接続される場合、一方のボードエレメントの１つの側面におけるそれぞれ１つのウェブは、他方のボードエレメントの対向する側面における対応する溝に係合する。同時に、一方のボードエレメントの１つの側面におけるそれぞれ１つの溝も、他方のボードエレメントの対向する側面におけるウェブと共に、相応に機械的な接続を形成する。これにより、互いに接続された２つのボードエレメント間に、少なくとも２つの接続、特に少なくとも２つの溝・キー接続が形成される。
【００１９】
個々の接続エレメントが、個々のボードエレメントの周方向でそれぞれ互いに等間隔を有しているならば、個々のボードエレメントは、これらボードエレメントがその中心軸線を中心として９０°回転された場合も、互いに対応する接続エレメントを介して互いに接続されることができる。この場合、一方のボードエレメントの各側面は、他方のボードエレメントの任意の側面に接続可能である。
【００２０】
互いに隣接する４つのボードエレメントの、一緒にピンのための開口を形成する溝の第２の区分に配置されたピンが、意図的にではなく回動されることのないように、好適には、ピンと、ボードエレメントのハウジングとの間に係止部材が形成されている。このために、本発明の１つの構成によれば、ピンの少なくとも１つの歯の端面に係止凹部が、溝の、第１の区分の、第２の区分に面した端面に、対応する係止突起が形成されていて、ピンがロック位置に回転されると、係止突起は係止凹部に係合して係止される。好適には、ピンの４つ全ての歯に相応の係止凹部が、すなわち両端面において設けられており、各溝の第２の区分に面した、第３の区分の端面にも、相応の係止突起が、個々のボードエレメントに形成されている。この場合、当業者には、係止凹部および係止突起の配置を入れ換えることもできることが明らかであり、したがってピンの歯に係止突起が、溝の第１の区分および／または第３の区分の端面に対応する係止凹部が形成される。
【００２１】
ピンを、ボードエレメント間の開口に簡単に挿入することができるように、特にピンを、溝の真ん中の第２の区分の領域で長手方向軸線を中心として回動させることができるように、通常のねじ回しの先端を使用することができる。このために、ピンの端面に好適には切欠が形成されていて、この切欠にねじ回しの先端を差し込むことができる。
【００２２】
詳細には、本発明によるパッチボードを構成し、改良する多数の可能性がある。このためには、請求項１に続く請求項、ならびに、図面につき好適な実施例を示した以下の説明を参照されたい。
【図面の簡単な説明】
【００２３】
【図１ａ】４つのボードエレメントから構成されたパッチボードの実施例を示す斜視図である。
【図１ｂ】４つのボードエレメントから構成されたパッチボードの実施例を示す正面図である。
【図２】図１のパッチボード用のピンの実施例を拡大して示す図である。
【図３ａ】パッチボードの１つのボードエレメントを拡大して示す斜視図である。
【図３ｂ】パッチボードの１つのボードエレメントを拡大して示す正面図である。
【図４】第１の位置で挿入されたピンと共に図１のパッチボードを示す正面図である。
【図５】第２の位置で挿入されたピンと共に図１のパッチボードを示す正面図である。
【図６】部分的に挿入されたピンと共に図１のパッチボードを示す斜視図である。
【図７ａ】１つの位置におけるピンと共に、３つのボードエレメントを有するパッチボードを示す斜視図である。
【図７ｂ】別の位置におけるピンと共に、３つのボードエレメントを有するパッチボードを示す斜視図である。
【図７ｃ】さらに別の位置におけるピンと共に、３つのボードエレメントを有するパッチボードを示す斜視図である。
【図８】ボードエレメントの第２実施例を、ピンと共に示す斜視図である。
【図９ａ】１つの位置におけるピンと共に、図８のボードエレメントを示す図である。
【図９ｂ】別の位置におけるピンと共に、図８のボードエレメントを示す図である。
【図１０】互いに接続された２つのボードエレメントと１つのピンとを拡大して示す部分図である。
【図１１】多数のボードエレメントから構成されたパッチボードの別の実施例を示す斜視図である。
【図１２】部分的に取り外された状態の図１１のパッチボードを示す図である。
【００２４】
図１には、パッチボード１の実施例が示されている。このパッチボード１は、４つのボードエレメント２から成っており、個々のボードエレメント２は互いに直接接続されている。図１１および図１２の実施例により明らかであるように、パッチボード１は、より多くのボードエレメント２から組み立てられていてもよく、この場合、個々のボードエレメント２は、各ボードエレメント２がｘ方向およびｙ方向で、少なくとも１つの別のボードエレメント２に接続されている、または少なくとも接続可能であるように、互いに配置されている。
【００２５】
個々のボードエレメント２は、それぞれ１つの箱形のハウジング３を有しており、このハウジング３は２つの端面４ａ，４ｂと４つの側面５ａ，５ｂ，５ｃ，５ｄを有している。この場合、個々の側面５ａ，５ｂ，５ｃ，５ｄは両端面４ａ，４ｂの間に延在していて、端面４ａ，４ｂに対してそれぞれ９０°の角度を有している。したがって、１つのボードエレメント２は、実質的に長方形の横断面を有しており、この実施例では、個々のボードエレメント２は正方形に構成されており、全ては同じ寸法を有しているが、本発明はこのような構成に限定されるものではない。さらに、ボードエレメント２は、各側面５ａ，５ｂ，５ｃ，５ｄの長手方向で、ひいてはｚ方向で延在する長さもしくは奥行を有している。
【００２６】
ボードエレメント２の前端面４ａには、それぞれ３つの接続領域６が設けられていて、これらの接続領域６は好適には、ばね力式クランプ接続部として形成されている。ハウジング３の内側には３つのクランプばねが配置されている。これらのクランプばねによって、接続領域６の各導体導入開口から導入された絶縁被覆除去された導体を、同じくハウジング３内に配置されたバスバーに対してクランプし、これによりバスバーに導電接続させることができる。後端面４ｂも同様に３つの接続領域を有することができる。しかしながらそれ以外に、両端面４ａ，４ｂが異なる数の接続領域を有していてもよく、後端面４ｂは例えば２つだけの接続領域を有している。
【００２７】
ボードエレメント２を互いに接続させるために、ボードエレメント２は４つ全ての側面５ａ，５ｂ，５ｃ，５ｄに複数の接続エレメントを有している。これにより、１つの相応のパッチボード１を構成するために、一方のボードエレメント２を、４つ全ての側面５ａ，５ｂ，５ｃ，５ｄで、ひいてはｘ方向およびｙ方向で、他方のボードエレメント２に接続することができる。図示した実施例では、ボードエレメント２は、特に図３の拡大図から明らかであるように、４つ全ての側面５ａ，５ｂ，５ｃ，５ｄにそれぞれ２つの鳩尾形溝７と、それぞれ２つの鳩尾形ウェブ８とを有している。この場合、１つの側面５ａ，５ｂ，５ｃ，５ｄにおける溝７は、対向する側面５ｂ，５ａ，５ｄ，５ｃにおけるウェブ８に対して鏡像対称的に配置されているので、２つのボードエレメント２が互いに接続される場合、一方のボードエレメント２の１つの側面５ｂの溝７とウェブ８とは、隣接するボードエレメント２の対向する側面５ａのウェブ８と溝７とに係合する。
【００２８】
溝７とウェブ８とはそれぞれ、各側面５ａ，５ｂ，５ｃ，５ｄの長手方向に対して平行に延びているので、２つのボードエレメント２の相互接続は、ボードエレメント２のそれぞれ対向する溝７とウェブ８とを互いに内外に嵌めてスライドさせることにより行われる。したがって組み付け方向は、側面５ａ，５ｂ，５ｃ，５ｄの長手方向に対して平行に延びている。これにより、組み付け方向は、接続領域６の操作方向にも、すなわち、接続すべき導体を接続領域６内に導入する方向にも相当する。
【００２９】
図１に示したパッチボード１では、個々のボードエレメント２は、各鳩尾形ウェブ８が、対応する溝７内に挿入されることにより、ボードエレメント２が、側面５の長手方向でのみ、すなわちｚ方向でのみ、なお互いに摺動することができるところで、互いに接続されている。全てのウェブ８と溝７は、各側面５ａ，５ｂ，５ｃ，５ｄの長手方向に対して平行に、ひいてはｚ方向に延びているので、個々のボードエレメント２の互いの接続、ならびに既に存在しているパッチボード１への別のボードエレメント２の付け足し接合は極めて簡単に行うことができる。
【００３０】
パッチボード１の個々のボードエレメント２の強固な接続をｚ方向でも保証するために、図２に拡大して示したピン９が設けられている。このピンは、ピン９の長手方向軸線の方向で延在するウェブ状の４つの歯１０を備えた歯車状の横断面を有している。図２により明らかであるように、ピン９の歯１０も鳩尾形に形成されており、すなわち、鳩尾形の横断面を有している。ピン９を導入するために、４つのボードエレメント２の真ん中には開口１１が形成されており、この開口の横断面は、特に図１ｂから明らかであるようにピン９の横断面に相当する。この場合、開口１１は、４つの互いに接続されるボードエレメント２の互いに隣接する４つの長手方向縁１２ａ，１２ｂ，１２ｃ，１２ｄによって形成される。
【００３１】
図３により明らかであるように、このために、１つのボードエレメント２の４つの長手方向縁１２ａ，１２ｂ，１２ｃ，１２ｄには、それぞれ１つの溝１３ａ，１３ｂ，１３ｃ，１３ｄが形成されていて、この溝は、第１の区分１４と、長手方向縁１２の長手方向で第１の区分に続いている第２の区分１５と、第２の区分１５に隣接する第３の区分１６とを有している。特に図１ｂおよび図３ｂとを一緒に参照することにより、この場合、第１の区分１４の個々の溝１３の横断面は、ピン９の横断面の１／４のセグメントに相当することが明らかである。溝１３の第３の区分１６も同様に形成されていて、すなわち第３の区分１６においても、溝１３の横断面はそれぞれピン９の横断面の１／４のセグメントに相当する。これとは異なり、溝１３は、その中央の第２の区分１５では、ピン９が溝１３の第２の区分１５に配置されたときに、ピン９が長手方向軸線を中心として回転可能であるような大きさの横断面を有している。
【００３２】
図２によると、ピン９は、コア直径Ｄ２と、歯１０の外寸によって規定される外側の直径Ｄ１とを有している。したがって、溝１３の第２の区分１５では、長手方向縁１２によって形成される開口１１の直径は、ピン９の外側の直径Ｄ１と少なくとも同等の大きさである。
【００３３】
第１の区分１４および第３の区分１６において個々の溝１３ａ，１３ｂ，１３ｃ，１３ｄにそれぞれ１つのウェブ１７が形成されていることにより、第１の区分１４および第３の区分１６における個々の溝１３ａ，１３ｂ，１３ｃ，１３ｄの形状は、１つの四分円の形状とは異なるものとなっている。この場合、ウェブ１７の形状は、ピン９の互いに隣り合う２つの歯１０の間の空間に相当するので、図４により明らかであるように、ピン９が溝１３ａ，１３ｂ，１３ｃ，１３ｄもしくは開口１１の第１の区分１４にあるとき、ウェブ１７はそれぞれ、隣接する２つの歯１０の間の空間内に係合する。
【００３４】
ピン９が図４および図６に示した位置を起点として、開口１１内にさらに挿入されると、ピン９は溝１３の第２の区分１５の領域に位置し、これによりピン９は、図５に示したように４５°回転できるようになる。この回転された位置では、ピン９の歯１０はそれぞれ、個々の溝１３の第１の区分１４におけるウェブ１７と、第３の区分１６におけるウェブ１７との間に配置されている。これにより、個々のボードエレメント２は、側面５の長手方向でも位置固定され、したがってｚ方向でそれ以上、互いに相対的に摺動することはできない。
【００３５】
例えば１つのボードエレメント２が故障したので、パッチボード１からそのボードエレメント２を取り外したい場合には、ピン９をさらに４５°回転させることにより、ｚ方向でのロックを解除することができる。ピン９の歯１０は、これによりもはや個々の溝１３の第１の区分１４におけるウェブ１７と、第３の区分１６におけるウェブ１７との間に配置されているのはなく、ピン９は再び開口１１に一致するように配置される。これにより、交換したいボードエレメント２を簡単にｚ方向で、またはｚ方向とは逆方向でスライドさせて、パッチボード１から取り出すことができ、このためにその他のボードエレメント２を取り外す必要はない。
【００３６】
パッチボード１の組立の際の上記手順は、図６および図７に示したパッチボード１の図によっても明らかである。図６には、４つのボードエレメント２から組み立てられたパッチボード１の斜視図が、部分的に開口１１内に挿入されたピン９と共に示されている。これに対して、図７ａ〜図７ｃに示した図では、開口１１の内側のピン９の各位置が見えるように、１つのボードエレメント２が取り去られている。この場合、図７ａでは、図６に相当する、最初に部分的に挿入された状態でピン９が示されている。
【００３７】
図７ｂの図では、ピン９は開口１１内に、溝１３の真ん中の第２の区分１５に位置するまで挿入されている。しかしながら、ピン９の向きは、ボードエレメント２のｚ方向での位置固定がまだ行われない向きである。したがって、ボードエレメント２はまだ、その側面５の長手方向で互いに相対的に摺動することができる。これに対して、図７ｃは、ロック位置にあるピン９を示しており、すなわち、図７ｂの向きと比較して、ピン９は、長手方向軸線を中心として４５°だけ回転されている。ピン９の歯１０はこの場合、溝１３のウェブ１７と一直線上に位置しているので、ピン９の長手方向もしくはｚ方向での互いに相対的なボードエレメント２の摺動はピン９により阻止される。
【００３８】
特に４つのボードエレメント２から組み立てられたパッチボード１では、個々のボードエレメント２は３つ全ての空間方向で確実かつ安定的に互いに接続されているので、安定的なパッチボード１が形成される。しかしながら同時に、ピン９を摺動させてボードエレメント２間の開口１１から取り出すことができる位置、もしくはボードエレメント２を互いに相対的に、かつピン９に対して相対的にｚ方向で摺動させることができる位置に、回転可能なピン９を再び回転させることにより、パッチボード１を再び簡単に分解して、特に個々のボードエレメント２を既存のパッチボード１から取り外すことができる。
【００３９】
図８および図９には、特に図３に示したボードエレメントと、図２に示したピン９の変化態様が示されている。ピン９が、４５°回転されたロック位置で真ん中の第２の区分１５に留まるために、図８により明らかであるように、ピン９の歯１０の端面にはそれぞれ１つの係止凹部１８が形成されている。これに対応して、溝１３の第１の区分１４および第３の区分１６において、ウェブ１７の、第２の区分１５に面した端面には、それぞれ１つの係止突起１９が設けられている。
【００４０】
今、図９に示したようにピン９が第２の区分１５に位置し、図９ａによる第１の向きから、長手方向軸線を中心として４５°回転されると、ウェブ１７の各係止突起１９が、対向して位置するピン９の歯１０における係止凹部１８に係合し、これによりピンが図９ｂに示した回転位置で係止されている。これにより、振動または揺動によるピン９の、長手方向軸線を中心とした所望されない回動が阻止される。しかしながら、係止突起１９の比較的僅かな寸法と、特にピン９の材料の、さらにはハウジング３の材料の柔軟性とにより、ピン９を依然として所望のように回転させることはできる。このために、ピン９の端面には、工具、特にねじ回しの先端を差し込むための切欠２０が形成されている。
【００４１】
図１０には、パッチボード１の別の変化態様が示されている。この変化態様では、溝１３の第３の区分１６の横断面が、溝１３の第１の区分１４の横断面に対して回転されている。図１０によりわかるように、溝１３の第３の区分１６におけるウェブ１７は、溝１３の第１の区分１４のウェブ１７に対して約４５°回転されている。これにより、ピン９が動きにより完全に開口１１を通ってスライドすることは阻止される。
【００４２】
図１１および図１２には、最後にさらに、多数のボードエレメント２を有したパッチボード１の実施例が示されている。この場合、図１１のパッチボード１は全部で１６のボードエレメント２を有しており、これらのボードエレメント２は、４列で互いに上下に並んで、かつ４列で互いに左右に並んで配置されている。これによりパッチボード１は、個々のボードエレメント２と同様に全体として正方形である。この場合、全部で１６のボードエレメント２は、それぞれ４つのボードエレメント２の真ん中で各開口１１内にピン９が配置されていることにより、ｚ方向で互いに位置固定されている。したがってこの場合、パッチボード１は９個の開口１１を有していて、これらの開口に９本のピン９が差し込まれている。ピン９は、パッチボード１の完全に組み立てられた状態でそれぞれ真ん中の第２の区分１５で開口１１内に位置しているので、このピン９は、図１１に示したパッチボード１の斜視図では見えていない。
【００４３】
図１２により、３つのピン９を相応の開口１１から取り外すことにより、互いに接続されている４つのボードエレメント２を矢印Ｘの方向で摺動させて、もしくは残りのパッチボード１から引き出して、互いにまだ接続されている４つのボードエレメント２から成るグループを、残りのパッチボード１から簡単に離すことができることがわかる。
【図１ａ】
2019514171.tif 000003
【図１ｂ】
2019514171.tif 000004
【図２】
2019514171.tif 000005
【図３ａ】
2019514171.tif 000006
【図３ｂ】
2019514171.tif 000007
【図４】
2019514171.tif 000008
【図５】
2019514171.tif 000009
【図６】
2019514171.tif 000010
【図７ａ】
2019514171.tif 000011
【図７ｂ】
2019514171.tif 000012
【図７ｃ】
2019514171.tif 000013
【図８】
2019514171.tif 000014
【図９ａ】
2019514171.tif 000015
【図９ｂ】
2019514171.tif 000016
【図１０】
2019514171.tif 000017
【図１１】
2019514171.tif 000018
【図１２】
2019514171.tif 000019
【国際調査報告】
2019514171.tif 000020
2019514171.tif 000021
2019514171.tif 000022
2019514171.tif 000023
2019514171.tif 000024